(57)【特許請求の範囲】
【請求項１】
正面視で、ボディを含み、前記ボディの中には保存チャンバーが設置され、前記ボディの内頂部には歯車チャンバーが設置され、前記歯車チャンバーの下方には回転チャンバーが設置され、前記回転チャンバーの下壁には主軸が回転できるように連結され、前記主軸には回転盤が固定的に連結され、
前記保存チャンバーの下方には充填ヘッドが設置され、空き瓶が前記充填ヘッドの下方まで回転する時に充填ヘッドが自動的に下降し、前記充填ヘッドが下降する時に充填を始め、もし前記充填ヘッドと接触している空き瓶がないなら、前記充填ヘッドが溶液を流出しなく、
前記歯車チャンバーの上壁にはモーターが固定的に連結され、前記モーターには出力軸が動力が伝達できるように連結され、前記出力軸には主セクターギアが固定的に連結され、前記主セクターギアには前記主軸と固定的に連結された主歯車が間欠的に噛み合っており、前記歯車チャンバーの上壁には右軸が回転できるように連結され、前記右軸には回転ロッドが固定的に連結され、
前記歯車チャンバーの中にはキャップ箱が設置され、前記キャップ箱のキャップが自動的に落ち、回転ロッドが回転する時にキャップを瓶の口まで連れ、下方のキャップが連れ去られた後に新しいキャップが落下を続行し、
前記充填ヘッドがパイプを含み、前記パイプの中には外スライド筒がスライドできるように設置され、前記外スライド筒の中には内スライド筒がスライドできるように連結され、前記内スライド筒の上方にはフィルタースクリン筒が固定的に連結され、前記フィルタースクリン筒の上方にはバルブが固定的に連結され、前記外スライド筒が下降する時、前記内スライド筒が瓶の口と接触し、それにより前記バルブを上昇させ、その時に溶液が前記フィルタースクリン筒に経過して流出し、
前記出力軸には右中スプロケットが固定的に連結され、前記右中スプロケットには前記中チェーンが伝動できるように連結され、前記中チェーンには左中スプロケットが伝動できるように連結され、前記左中スプロケットには上軸が固定的に連結され、前記左上軸にはヘリカルブロックが固定的に連結され、前記左上軸には前記ボディと固定的に連結された密封板が回転できるように連結されていることを特徴とする揮発しやすい溶液を基にした快速充填機械。
【請求項２】
前記外スライド筒には外バネが固定的に連結され、前記外バネが前記パイプの端壁に固定的に連結され、前記内スライド筒の上端には内バネが固定的に連結され、前記内バネの末端が前記外スライド筒の上端壁に固定的に連結されていることを特徴とする請求項１に記載の揮発しやすい溶液を基にした快速充填機械。
【請求項３】
前記保存チャンバーの中には圧力排出パイプが設置され、前記圧力排出パイプの下端が前記パイプと連通されていることを特徴とする請求項１に記載の揮発しやすい溶液を基にした快速充填機械。
【請求項４】
前記回転盤には四つのアームが固定的に連結され、四つの前記アームが前記回転盤の周りに対称的に置かれていることを特徴とする請求項１に記載の揮発しやすい溶液を基にした快速充填機械。
【請求項５】
前記出力軸には左上歯車が固定的に連結され、前記左上歯車には右上歯車が噛み合っており、前記右上歯車には前記歯車チャンバーの上壁と回転できるように連結された右中軸が固定的に連結され、前記右中軸には左上スプロケットが固定的に連結され、前記左上スプロケットには上チェーンが伝動できるように連結され、前記上チェーンには右上スプロケットが伝動できるように連結され、前記右上スプロケットには前記右軸が固定的に連結されている。更の技術プランとしては、前記出力軸には第一スプロケットが固定的に連結され、前記第一スプロケットにはチェーンが伝動できるように連結され、前記チェーンには第二スプロケットが伝動できるように連結され、前記第二スプロケットには外軸が固定的に連結され、前記外軸には前記ボディが回転できるように連結され、前記外軸には外アームが固定的に連結され、前記外アームの下方には前記ボディと固定的に連結されたセクタースライド道が設置され、前記ボディには第一外短軸と第二外短軸とが回転できるように連結され、前記第一外短軸と第二外短軸とにはそれぞれ第一外プーリと第二外プーリとが固定的に連結され、前記第一外プーリと前記第二外プーリとにはベルトが伝動できるように連結され、前記ボディの左側には空き瓶入口が設置されていることを特徴とする請求項１に記載の揮発しやすい溶液を基にした快速充填機械。
【請求項６】
前記出力軸には上ヘリカルギアが固定的に連結され、前記上ヘリカルギアには下ヘリカルギアが噛み合っており、前記下ヘリカルギアには前記歯車チャンバーの内壁と回転できるように連結された横軸が固定的に連結され、前記横軸には第一内スプロケットが固定的に連結され、前記第一内スプロケットには内チェーンが伝動できるように連結され、前記内チェーンには第二内スプロケットが伝動できるように連結され、前記第二内スプロケットには前記歯車チャンバーの内壁と回転できるように連結された上横軸が固定的に連結され、前記上横軸にはカムが固定的に連結されていることを特徴とする請求項１に記載の揮発しやすい溶液を基にした快速充填機械。
【請求項７】
前記歯車チャンバーの下壁には小孔が設置され、前記小孔の中には頂蓋ロッドがスライドできるように連結され、前記頂蓋ロッドには位置制限バネが固定的に連結され、前記位置制限バネが前記歯車チャンバーの下壁と固定的に連結されていることを特徴とする請求項１に記載の揮発しやすい溶液を基にした快速充填機械。
【発明の詳細な説明】
【技術分野】
【０００１】
本発明は充填機械設備分野に関し、具体的には揮発しやすい溶液を基にした快速充填機械である。
【背景技術】
【０００２】
化学工業用溶液の多くは揮発しやすい物質であり、生産過程において溶液が揮発損失を生じ、一部の溶液が揮発したら人体に危害を生じ、一部の溶液は揮発機体爆発などの現象を生じる可能性があり、普通の充填機が充填する時に以上の状況を生じやすく、従って揮発しやすい溶液を生産して充填する時には快速充填する必要があり、また密封性を保証し、以上の問題を解決するために、密封で快速且つリークなしの揮発しやすい溶液充填設備を設計する必要がある。
【先行技術文献】
【特許文献】
【０００３】
【特許文献１】中国特許出願公開第１０２４９１２４５号明細書
【発明の概要】
【発明が解決しようとする課題】
【０００４】
本発明は揮発しやすい溶液を基にした快速充填機械を提供し、従来技術における上記欠点を解消し、設備の実用性を高めることを目的とする。
【課題を解決するための手段】
【０００５】
本発明の実施例の揮発しやすい溶液を基にした快速充填機械は、ボディを含み、前記ボディの中には保存チャンバーが設置され、前記ボディの内頂部には歯車チャンバーが設置され、前記歯車チャンバーの下方には回転チャンバーが設置され、前記回転チャンバーの下壁には主軸が回転できるように連結され、前記主軸には回転盤が固定的に連結され、前記保存チャンバーの下方には充填ヘッドが設置され、空き瓶が前記充填ヘッドの下方まで回転する時に充填ヘッドが自動的に下降し、前記充填ヘッドが下降する時に充填を始め、もし前記充填ヘッドと接触している空き瓶がないなら、前記充填ヘッドが溶液を流出しなく、前記歯車チャンバーの上壁にはモーターが固定的に連結され、前記モーターには出力軸が動力が伝達できるように連結され、前記出力軸には主セクターギアが固定的に連結され、前記主セクターギアには前記主軸と固定的に連結された主歯車が間欠的に噛み合っており、前記歯車チャンバーの上壁には右軸が回転できるように連結され、前記右軸には回転ロッドが固定的に連結され、前記歯車チャンバーの中にはキャップ箱が設置され、前記キャップ箱のキャップが自動的に落ち、回転ロッドが回転する時にキャップを瓶の口まで連れ、下方のキャップが連れ去られた後に新しいキャップが落下を続行し、前記充填ヘッドがパイプを含み、前記パイプの中には外スライド筒がスライドできるように設置され、前記外スライド筒の中には内スライド筒がスライドできるように連結され、前記内スライド筒の上方にはフィルタースクリン筒が固定的に連結され、前記フィルタースクリン筒の上方にはバルブが固定的に連結され、前記外スライド筒が下降する時、前記内スライド筒が瓶の口と接触し、それにより前記バルブを上昇させ、その時に溶液が前記フィルタースクリン筒に経過して流出する。
【０００６】
更の技術プランとしては、前記外スライド筒には外バネが固定的に連結され、前記外バネが前記パイプの端壁に固定的に連結され、前記内スライド筒の上端には内バネが固定的に連結され、前記内バネの末端が前記外スライド筒の上端壁に固定的に連結されている。
【０００７】
更の技術プランとしては、前記保存チャンバーの中には圧力排出パイプが設置され、前記圧力排出パイプの下端が前記パイプと連通されている。
【０００８】
更の技術プランとしては、前記回転盤には四つのアームが固定的に連結され、四つの前記アームが前記回転盤の周りに対称的に置かれている。
【０００９】
更の技術プランとしては、前記出力軸には右中スプロケットが固定的に連結され、前記右中スプロケットには前記中チェーンが伝動できるように連結され、前記中チェーンには左中スプロケットが伝動できるように連結され、前記左中スプロケットには上軸が固定的に連結され、前記左上軸にはヘリカルブロックが固定的に連結され、前記左上軸には前記ボディと固定的に連結された密封板が回転できるように連結されている。
【００１０】
更の技術プランとしては、前記出力軸には左上歯車が固定的に連結され、前記左上歯車には右上歯車が噛み合っており、前記右上歯車には前記歯車チャンバーの上壁と回転できるように連結された右中軸が固定的に連結され、前記右中軸には左上スプロケットが固定的に連結され、前記左上スプロケットには上チェーンが伝動できるように連結され、前記上チェーンには右上スプロケットが伝動できるように連結され、前記右上スプロケットには前記右軸が固定的に連結されている。更の技術プランとしては、前記出力軸には第一スプロケットが固定的に連結され、前記第一スプロケットにはチェーンが伝動できるように連結され、前記チェーンには第二スプロケットが伝動できるように連結され、前記第二スプロケットには外軸が固定的に連結され、前記外軸には前記ボディが回転できるように連結され、前記外軸には外アームが固定的に連結され、前記外アームの下方には前記ボディと固定的に連結されたセクタースライド道が設置され、前記ボディには第一外短軸と第二外短軸とが回転できるように連結され、前記第一外短軸と第二外短軸とにはそれぞれ第一外プーリと第二外プーリとが固定的に連結され、前記第一外プーリと前記第二外プーリとにはベルトが伝動できるように連結され、前記ボディの左側には空き瓶入口が設置されている。
【００１１】
更の技術プランとしては、前記出力軸には上ヘリカルギアが固定的に連結され、前記上ヘリカルギアには下ヘリカルギアが噛み合っており、前記下ヘリカルギアには前記歯車チャンバーの内壁と回転できるように連結された横軸が固定的に連結され、前記横軸には第一内スプロケットが固定的に連結され、前記第一内スプロケットには内チェーンが伝動できるように連結され、前記内チェーンには第二内スプロケットが伝動できるように連結され、前記第二内スプロケットには前記歯車チャンバーの内壁と回転できるように連結された上横軸が固定的に連結され、前記上横軸にはカムが固定的に連結されている。
【００１２】
更の技術プランとしては、前記歯車チャンバーの下壁には小孔が設置され、前記小孔の中には頂蓋ロッドがスライドできるように連結され、前記頂蓋ロッドには位置制限バネが固定的に連結され、前記位置制限バネが前記歯車チャンバーの下壁と固定的に連結されている。
【発明の効果】
【００１３】
本発明の有益効果は：本発明はリーク防止のバルブ設計を採用し、溶液が密封空間の中に保存され、溶液の揮発を防止し、構造全体が回転式分布を採用し、快速充填の目的を実現し、セクターギアの間欠的な噛合を通し、全てのステップをシームレスに接続させ、また揮発防止板を加え、更に揮発を防止し、最後に自動的にシールを完成し、過程全体が自動的且つ快速である。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の揮発しやすい溶液を基にした快速充填機械の全体構成模式図
【図２】図２は図１のＭ-Ｍの断面構成模式図
【図３】図３は図１のＮ--Ｎの断面構成模式図
【図４】図４は図１のＡの拡大構成模式図
【図５】図５は図１のＢの拡大構成模式図
【図６】図６は図３のＣ―Ｃの断面構成模式図
【発明を実施するための形態】
【００１６】
図１〜６を参照し、本発明の実施例の揮発しやすい溶液を基にした快速充填機械は、ボディ１００を含み、前記ボディ１００の中には保存チャンバー１０１が設置され、前記ボディ１００の内頂部には歯車チャンバー１６２が設置され、前記歯車チャンバー１６２の下方には回転チャンバー１６１が設置され、前記回転チャンバー１６１の下壁には主軸１０６が回転できるように連結され、前記主軸１０６には回転盤１０８が固定的に連結され、前記保存チャンバー１０１の下方には充填ヘッド１０４が設置され、空き瓶が前記充填ヘッド１０４の下方まで回転する時に充填ヘッドが自動的に下降し、前記充填ヘッド１０４が下降する時に充填を始め、もし前記充填ヘッド１０４と接触している空き瓶がないなら、前記充填ヘッド１０４が溶液を流出しなく、前記歯車チャンバー１６２の上壁にはモーター１４２が固定的に連結され、前記モーター１４２には出力軸１２７が動力が伝達できるように連結され、前記出力軸１２７には主セクターギア１２６が固定的に連結され、前記主セクターギア１２６には前記主軸１０６と固定的に連結された主歯車１２８が間欠的に噛み合っており、前記歯車チャンバー１６２の上壁には右軸１４８が回転できるように連結され、前記右軸１４８には回転ロッド１５０が固定的に連結され、前記歯車チャンバー１６２の中にはキャップ箱１４７が設置され、前記キャップ箱１４７のキャップが自動的に落ち、回転ロッドが回転する時にキャップを瓶の口まで連れ、下方のキャップが連れ去られた後に新しいキャップが落下を続行し、前記充填ヘッド１０４がパイプ１３３を含み、前記パイプ１３３の中には外スライド筒１３８がスライドできるように設置され、前記外スライド筒１３８の中には内スライド筒１３９がスライドできるように連結され、前記内スライド筒１３９の上方にはフィルタースクリン筒１３５が固定的に連結され、前記フィルタースクリン筒１３５の上方にはバルブ１３４が固定的に連結され、前記外スライド筒１３８が下降する時、前記内スライド筒１３９が瓶の口と接触し、それにより前記バルブ１３４を上昇させ、その時に溶液が前記フィルタースクリン筒１３５に経過して流出する。
【００１７】
好ましくは、前記外スライド筒１３８には外バネ１３７が固定的に連結され、前記外バネ１３７が前記パイプ１３３の端壁に固定的に連結され、前記内スライド筒１３９の上端には内バネ１３６が固定的に連結され、前記内バネ１３６の末端が前記外スライド筒１３８の上端壁に固定的に連結されている。
【００１８】
好ましくは、前記保存チャンバー１０１の中には圧力排出パイプ１０２が設置され、前記圧力排出パイプ１０２の下端が前記パイプ１３３と連通されている。
【００１９】
好ましくは、前記回転盤１０８には四つのアーム１０５が固定的に連結され、四つの前記アーム１０５が前記回転盤１０８の周りに対称的に置かれている。
【００２０】
好ましくは、前記出力軸１２７には右中スプロケット１２５が固定的に連結され、前記右中スプロケット１２５には前記中チェーン１１１が伝動できるように連結され、前記中チェーン１１１には左中スプロケット１１０が伝動できるように連結され、前記左中スプロケット１１０には上軸１１２が固定的に連結され、前記左上軸１１２にはヘリカルブロック１１３が固定的に連結され、前記左上軸１１２には前記ボディ１００と固定的に連結された密封板１０７が回転できるように連結されている。
【００２１】
好ましくは、前記出力軸１２７には左上歯車１４１が固定的に連結され、前記左上歯車１４１には右上歯車１４３が噛み合っており、前記右上歯車１４３には前記歯車チャンバー１６２の上壁と回転できるように連結された右中軸１４５が固定的に連結され、前記右中軸１４５には左上スプロケット１４４が固定的に連結され、前記左上スプロケット１４４には上チェーン１４６が伝動できるように連結され、前記上チェーン１４６には右上スプロケット１４９が伝動できるように連結され、前記右上スプロケット１４９には前記右軸１４８が固定的に連結されている。
【００２２】
好ましくは、前記出力軸１２７には第一スプロケット１４０が固定的に連結され、前記第一スプロケット１４０にはチェーン１５５が伝動できるように連結され、前記チェーン１５５には第二スプロケット１５６が伝動できるように連結され、前記第二スプロケット１５６には外軸１３０が固定的に連結され、前記外軸１３０には前記ボディ１００が回転できるように連結され、前記外軸１３０には外アーム１２９が固定的に連結され、前記外アーム１２９の下方には前記ボディ１００と固定的に連結されたセクタースライド道１３１が設置され、前記ボディ１００には第一外短軸１５９と第二外短軸１６０とが回転できるように連結され、前記第一外短軸１５９と第二外短軸１６０とにはそれぞれ第一外プーリ１５８と第二外プーリ１５７とが固定的に連結され、前記第一外プーリ１５８と前記第二外プーリ１５７とにはベルト１３２が伝動できるように連結され、前記ボディ１００の左側には空き瓶入口１６９が設置されている。
【００２３】
好ましくは、前記出力軸１２７には上ヘリカルギア１２４が固定的に連結され、前記上ヘリカルギア１２４には下ヘリカルギア１２３が噛み合っており、前記下ヘリカルギア１２３には前記歯車チャンバー１６２の内壁と回転できるように連結された横軸１２０が固定的に連結され、前記横軸１２０には第一内スプロケット１１９が固定的に連結され、前記第一内スプロケット１１９には内チェーン１１７が伝動できるように連結され、前記内チェーン１１７には第二内スプロケット１１６が伝動できるように連結され、前記第二内スプロケット１１６には前記歯車チャンバー１６２の内壁と回転できるように連結された上横軸１１５が固定的に連結され、前記上横軸１１５にはカム１５１が固定的に連結されている。
【００２４】
好ましくは、前記歯車チャンバー１６２の下壁には小孔１５４が設置され、前記小孔１５４の中には頂蓋ロッド１５２がスライドできるように連結され、前記頂蓋ロッド１５２には位置制限バネ１５３が固定的に連結され、前記位置制限バネ１５３が前記歯車チャンバー１６２の下壁と固定的に連結されている。
【００２５】
下記に図１〜６をあわせて本発明の揮発しやすい溶液を基にした快速充填機械の使用ステップについて詳しく説明する：
【００２６】
１、液体を充填する時に前記空き瓶入り口１６９の中に空き瓶を入れ、前記モーター１４２を始動し、前記出力軸１２７を回転連動させ、前記セクター歯車１２６が前記主歯車１２８と噛み合い始め、中間の一連の伝動を経て前記アーム１０５を回転連動させ、前記アーム１０５が空き瓶を持ち出して前記充填ヘッド１０４の下方に到着させ、前記セクター歯車１２６が前記主歯車１２８と噛み合わなくなり、その時に前記ヘリカルブロック１１３の比較的に低い一辺が前記外スライド筒１３８と接触し、前記外スライド筒１３８を連動して下方に移動させ、同時に前記内スライド筒１３９が瓶の口と接触し、同時に前記バルブ１３４が前記外スライド筒１３８の上端から相対的に離脱し、その時に溶液が前記フィルタースクリン筒１３５を通過して流出する。
【００２７】
２、充填が完成し、前記キャップ箱１４７の中にキャップを入れ、前記ヘリカルブロック１１３の比較的に低い一辺が前記外スライド筒１３８と接触しなくなり、前記バルブ１３４が前記外スライド筒１３８と接触して溶液の流出を阻止し、前記主歯車１２８が再び前記セクター歯車１２６と噛み合っており、前記アーム１０５が引き続き回転し、その時に瓶の口が前記密封板１０７の遮りのもとでスライドし、同時に前記回転ロッド１５０が回転してキャップを連動させて頂蓋ロッド１５２の下方に移動させ、同時に瓶の口が前記頂蓋ロッド１５２の下方に到着し、キャップがちょうど瓶の口に落ち、その時に前記主歯車１２８が前記セクター歯車１２６と噛み合わなくなり、前記カム１５１が前記頂蓋ロッド１５２と接触し、前記頂蓋ロッド１５２が下方に移動してキャップをきつく押し、その後カム１５１が前記頂蓋ロッド１５２と接触しなくなり、前記アーム１０５が引き続き出口の位置まで回転してその後停止し、前記外アーム１２９が回転して瓶を持ち出して瓶を前記ベルト１３２に到着させる。
【００２８】
３、他の前記アーム１０５が順次に１、２の動作を繰り返し、しかし前記キャップ箱１４７の中にキャップを入れるのが除外する。
【００２９】
以上の方式により、本分野の技術者が本発明の範囲内に作動モードにより各種な変化をすることができる。
【要約】
【課題】本発明は揮発しやすい溶液を基にした快速充填機械を開示した。
【解決手段】
ボディを含み、前記ボディの中には保存チャンバーが設置され、前記ボディの内頂部には歯車チャンバーが設置され、前記歯車チャンバーの下方には回転チャンバーが設置され、前記回転チャンバーの下壁には主軸が回転できるように連結され、前記主軸には回転盤が固定的に連結され、本発明はリーク防止のバブル設計を採用し、溶液が密封空間の中に保存され、溶液の揮発を防止し、構造全体が回転式分布を採用し、快速充填の目的を実現し、また揮発防止板を加え、更に揮発を防止し、最後に自動的にシールを完成し、過程全体が自動的且つ快速である。
【選択図】図１【図１】
0006739697.tif 000002
【図２】
0006739697.tif 000003
【図３】
0006739697.tif 000004
【図４】
0006739697.tif 000005
【図５】
0006739697.tif 000006
【図６】
0006739697.tif 000007